(57)【要約】      （修正有）【課題】屋内空間におけるＣＯ２濃度のレベルを表示することで、換気を適切に促すことができる換気状況表示装置を提供する。【解決手段】屋内空間の空気中の二酸化炭素濃度を検出するＣＯ２センサ１９と、ＣＯ２センサが検出した二酸化炭素濃度のレベルに応じて赤色、黄色、青色に表示する表示部２２と、ＣＯ２センサを、椅子に着座した人の頭部位置近傍に支持する支持部１４とを備える。【選択図】図２
0003230532.tif 000002
【実用新案登録請求の範囲】
【請求項１】
屋内空間の空気中の二酸化炭素濃度を検出するＣＯ２センサと、
前記ＣＯ２センサが検出した二酸化炭素濃度のレベルを表示する表示部と、
前記ＣＯ２センサを、椅子に着座した人の頭部位置近傍に支持する支持部とを備えた
換気状況表示装置。
【請求項２】
前記支持部の下端からＣＯ２センサ配設位置までの高さを１０００〜１２００ｍｍに設定した
請求項１に記載の換気状況表示装置。
【請求項３】
前記支持部の下端からＣＯ２センサ配設位置までの高さを３００〜５００ｍｍに設定した
請求項１に記載の換気状況表示装置。
【請求項４】
前記ＣＯ２センサを囲繞するボックスを設け、該ボックスの少なくとも一部をメッシュ構造と成した
請求項１〜３のいずれか一項に記載の換気状況表示装置。
【請求項５】
前記ＣＯ２センサを囲繞するボックスを設け、該ボックスの全面をメッシュ構造と成した
請求項１〜３のいずれか一項に記載の換気状況表示装置。
【請求項６】
前記支持部を上下方向に伸縮可能に構成した
請求項１〜５のいずれか一項に記載の換気状況表示装置。
【請求項７】
前記支持部の下端にボックス形状の台座を設け、該台座の内部にはバッテリが格納された
請求項１〜６のいずれか一項に記載の換気状況表示装置。
【請求項８】
前記表示部は、赤色に表示する赤色表示部と、黄色に表示する黄色表示部と、青色に表示する青色表示部とを備え、
前記ＣＯ２センサが検出した二酸化炭素濃度のレベルに応じて前記赤色表示部、前記黄色表示部、及び前記青色表示部の少なくともいずれかひとつを表示する表示制御部を備えた
請求項１〜７のいずれか一項に記載の換気状況表示装置。
【請求項９】
前記ＣＯ２センサの出力に基づいて、二酸化炭素濃度が１０００ｐｐｍ以上の場合には前記赤色表示部を表示させ、
二酸化炭素濃度が９００ｐｐｍ以上、１０００ｐｐｍ未満の場合には前記黄色表示部及び前記赤色表示部を表示させ、
二酸化炭素濃度が８００ｐｐｍ以上、９００ｐｐｍ未満の場合には前記黄色表示部を表示させ、
二酸化炭素濃度が７００ｐｐｍ以上、８００ｐｐｍ未満の場合には前記黄色表示部、及び前記青色表示部を表示させ、
二酸化炭素濃度が７００ｐｐｍ未満の場合には前記青色表示部に表示させる制御手段を備えた
請求項８に記載の換気状況表示装置。
【請求項１０】
前記表示部は、発光ランプと、該発光ランプの発光色を前記ＣＯ２センサが検出した二酸化炭素濃度のレベルに応じて、赤色、黄色、及び青色のいずれかに調光する調光制御部とを備えた
請求項１〜７のいずれか一項に記載の換気状況表示装置。
【請求項１１】
前記ＣＯ２センサの出力に基づいて、二酸化炭素濃度が１０００ｐｐｍ以上の場合には前記表示部を赤色に、
二酸化炭素濃度が８００ｐｐｍ以上、１０００ｐｐｍ未満の場合には前記表示部を黄色に、
二酸化炭素濃度が８００ｐｐｍ未満の場合には前記表示部を青色に発光する制御手段を備えた
請求項１０に記載の換気状況表示装置。
【請求項１２】
前記ＣＯ２センサ、及び前記表示部を駆動する電源の出力部と、
屋内空間の照度を検出する照度センサとを備え、
前記照度センサで検出された照度が所定値以下の時、前記電源の出力部からの電力供給を遮断する電源遮断部を備えた
請求項１〜１１のいずれか一項に記載の換気状況表示装置。
【考案の詳細な説明】
【技術分野】
【０００１】
この考案は、屋内空間の換気状況を表示するような換気状況表示装置に関する。
【背景技術】
【０００２】
新型コロナウイルス感染症の感染拡大を防止する手段として、換気を行なうことの重要性が知られている。企業のオフィス、教育現場の教室、あるいは、集会所などの人が集まる屋内空間では、当該屋内空間に外気がどの程度入っているか、すなわち、換気が適切に行なわれているかが重要となる。
【０００３】
例えば、大学の教室において対面授業を行なう場合にも、新型コロナウイルス感染症の感染拡大を防止するために、換気を行なうことが有効となるが、換気を行なうべき基準（換気量、換気のタイミングなど）については、明確になっていないのが現状である。
【０００４】
ところで、特許文献１には、赤外線の変化量を検知するセンサ（赤外線センサ）と、空気中の二酸化炭素濃度を検知するセンサ（ＣＯ２センサ）とを部屋のひとつの壁面に固定したものが開示されている。
【０００５】
この特許文献１に開示された従来装置によれば、赤外線センサで部屋内部に人が存在すると判断された時、ＣＯ２センサにより部屋内の二酸化炭素濃度を監視するものである。  
しかしながら、該特許文献１に開示された従来装置によれば、ＣＯ２センサが固定された特定の壁面に近接する部屋内の特定エリアについては、適切にＣＯ２濃度を検出することができるものの、特定の壁面から離間したエリアについては、ＣＯ２濃度の検出が不充分になるという問題点があった。
【先行技術文献】
【特許文献】
【０００６】
【特許文献１】特開２０１２−７３９８９号公報
【考案の概要】
【考案が解決しようとする課題】
【０００７】
そこで、この考案は、屋内空間における二酸化炭素（ＣＯ２）の濃度のレベルを表示することで、換気を適切に促すことができる換気状況表示装置の提供を目的とする。
【課題を解決するための手段】
【０００８】
この考案は、屋内空間の空気中の二酸化炭素濃度を検出するＣＯ２センサと、前記ＣＯ２センサが検出した二酸化炭素濃度のレベルを表示する表示部と、前記ＣＯ２センサを、椅子に着座した人の頭部位置近傍に支持する支持部とを備えたことを特徴とする。
【０００９】
上述の表示部は、ＬＥＤ（発光ダイオード）等の発光ランプにより色分け表示、点滅や点灯などの発光パターン、文字や画像の表示、種類の異なる音の出力等であってもよい。  
この考案により、支持部によりＣＯ２センサ（二酸化炭素濃度センサ）の高さ位置を椅子に着座した人の頭部位置近傍（詳しくは、鼻や口の位置）に支持できるため、人体から排出されるＣＯ２をＣＯ２センサにより効率よく検出することができる。したがって、二酸化炭素濃度（ＣＯ２濃度）のレベルを表示する表示部の表示内容にて屋内空間の換気を適切に促すことができる。
【００１０】
この考案の態様として、前記支持部の下端からＣＯ２センサ配設位置までの高さを１０００〜１２００ｍｍに設定してもよい。  
この考案により、換気状況表示装置を床面に立設して使用する場合、ＣＯ２センサの高さ位置が、椅子に着座した人の頭部位置近傍となる。したがって、二酸化炭素濃度のレベルを表示する表示部の表示内容にて屋内空間の換気をより適切に促すことができる。
【００１１】
またこの考案の態様として、前記支持部の下端からＣＯ２センサ配設位置までの高さを３００〜５００ｍｍに設定してもよい。  
この考案により、換気状況表示装置を机またはテーブルに立設して卓上式として使用する場合、ＣＯ２センサの高さ位置が、椅子に着座した人の頭部位置近傍となる。したがって、二酸化炭素濃度のレベルを表示する表示部の表示内容にて屋内空間の換気をより適切に促すことができる。
【００１２】
またこの考案の態様として、前記ＣＯ２センサを囲繞するボックスを設け、該ボックスの少なくとも一部をメッシュ構造と成してもよい。  
この考案により、ボックス部によってＣＯ２センサを保護できるとともに、デザイン性を向上することができる。さらに、ＣＯ２センサに対してボックスの少なくとも一部から屋内空間の空気を導入することができ、ＣＯ２濃度を感度よく検出することができる。
【００１３】
またこの考案の態様として、前記ＣＯ２センサを囲繞するボックスを設け、該ボックスの全面をメッシュ構造と成してもよい。  
この考案により、ボックス部によってＣＯ２センサを保護できるとともに、デザイン性をさらに向上することができる。さらに、ＣＯ２センサに対してボックス全面から屋内空間の空気を導入することができ、ＣＯ２濃度の検出をより一層感度よく行なうことができる。
【００１４】
またこの考案の態様として、前記支持部を上下方向に伸縮可能に構成してもよい。  
この考案により、屋内空間を利用する人の身長や座高の差異に応じて、支持部を伸縮し、ＣＯ２センサの配設位置を最適な高さ位置に上下調整することができる。したがって、二酸化炭素濃度のレベルを表示する表示部の表示内容にて屋内空間の換気をより適切に促すことができる。
【００１５】
またこの考案の態様として、前記支持部の下端にボックス形状の台座を設け、該台座の内部にはバッテリが格納されてもよい。  
この考案により、ＡＣ電源が存在しない場合でも、バッテリにより換気状況表示装置に駆動電力を供給することができる。さらに、前記支持部の下端に設けたボックス形状の台座の内部にはバッテリが格納しているため、バッテリの重量により装置全体の支持安定化を図ることができる。
【００１６】
またこの考案の態様として、前記表示部は、赤色に表示する赤色表示部と、黄色に表示する黄色表示部と、青色に表示する青色表示部とを備え、前記ＣＯ２センサが検出した二酸化炭素濃度のレベルに応じて赤色表示部、黄色表示部、青色表示部の少なくともいずれかひとつを表示する表示制御部を備えてもよい。
【００１７】
なお、青色表示部は、青色のみならず、緑色や緑青色などの表示部が含まれる。
【００１８】
この考案により、表示制御部は、ＣＯ２センサが検出したＣＯ２濃度のレベルに応じて、赤色表示部、黄色表示部、青色表示部の少なくともいずれかひとつを該当する色に可視表示するので、換気状況を認識させることができる。  
なお、上述のように、可視表示された色によって換気状況を認識できるため、音出力で換気状況を表示する場合に比べて、静寂な講義中であっても、邪魔になることはない。
【００１９】
またこの考案の態様として、前記ＣＯ２センサの出力に基づいて、二酸化炭素濃度が１０００ｐｐｍ以上の場合には赤色表示部を表示させ、二酸化炭素濃度が９００ｐｐｍ以上、１０００ｐｐｍ未満の場合には黄色表示部及び赤色表示部を表示させる。さらに、二酸化炭素濃度が８００ｐｐｍ以上、９００ｐｐｍ未満の場合には黄色表示部を表示させ、二酸化炭素濃度が７００ｐｐｍ以上、８００ｐｐｍ未満の場合には黄色表示部、及び青色表示部を表示させ、二酸化炭素濃度が７００ｐｐｍ未満の場合には青色表示部に発光する制御手段を備えてもよい。
【００２０】
上記数値限定の意味合いは、次の通りである。すなわち、ビル管理法において、オフィスのＣＯ２濃度は１０００ｐｐｍ以下にすることとされている。これはその部屋に規定の定員が入室していると想定された時の基準である。このため、外気のＣＯ２濃度が約４００ｐｐｍであることから、屋内空間のＣＯ２濃度は１０００ｐｐｍ未満であれば、最低限の換気が行なわれていると推考される。
【００２１】
このため、屋内空間のＣＯ２濃度が１０００ｐｐｍを超えれば、換気が不充分であるとして表示部を赤色に発光させて換気を促がし、ＣＯ２濃度が７００ｐｐｍ未満の場合には充分な換気がなされていると推考して表示部を青色に発光させる。これらの中間のＣＯ２濃度の場合には、表示部を黄色、あるいは赤色及び青色のいずれかと黄色とを組み合わせて発光させて、換気を推奨するものである。
【００２２】
具体的には、屋内空間のＣＯ２濃度が９００ｐｐｍ以上、１０００ｐｐｍ未満の場合には前記表示部を黄色及び赤色に発光させ、８００ｐｐｍ以上、９００ｐｐｍ未満の場合には前記表示部を黄色に発光させ、二酸化炭素濃度が７００ｐｐｍ以上、８００ｐｐｍ未満の場合には前記表示部を黄色、及び青色に発光させる。このように表示部を複数色で発光させることで、色種の数だけでなく、色種の組み合わせでより細やかに状況を表示することができる。
【００２３】
またこの考案の態様として、前記表示部は、発光ランプと、該発光ランプの発光色を前記ＣＯ２センサが検出した二酸化炭素濃度のレベルに応じて、赤色、黄色、及び青色のいずれかに調光する調光制御部とを備えてもよい。
【００２４】
この考案により、調光制御部は、ＣＯ２センサが検出したＣＯ２濃度のレベルに応じて、発光ランプの発光色を、赤色、黄色、及び青色のいずれかに調光するので、換気状況を認識させることができる。また、調光制御部で発光ランプを調光するため、それぞれの色の発光ランプを備える場合に比べてコンパクトに構成することができる。
【００２５】
またこの考案の態様として、前記ＣＯ２センサの出力に基づいて、二酸化炭素濃度が１０００ｐｐｍ以上の場合には前記表示部を赤色に、二酸化炭素濃度が８００ｐｐｍ以上、１０００ｐｐｍ未満の場合には前記表示部を黄色に、二酸化炭素濃度が８００ｐｐｍ未満の場合には前記表示部を青色に発光する制御手段を備えてもよい。  
この考案により、制御手段により表示部を上記ＣＯ２濃度に対応して、赤色、黄色、及び青色のいずれかに発光させることで、換気状況を的確に表示することができる。
【００２６】
このため、屋内空間のＣＯ２濃度が１０００ｐｐｍを超えれば、換気が不充分であるとして表示部を赤色に発光させて換気を促がし、ＣＯ２濃度が8００ｐｐｍ未満の場合には充分な換気がなされていると推考して表示部を青色に発光させる。これらの中間のＣＯ２濃度の場合には、表示部を黄色に発光させて、換気を推奨するものである。
【００２７】
またこの考案の態様として、前記ＣＯ２センサ及び前記表示部を駆動する電源の出力部と、屋内空間の照度を検出する照度センサとを備え、前記照度センサで検出された照度が所定値以下の時、前記電源の出力部からの電力供給を遮断する電源遮断部を備えてもよい。
【００２８】
この考案により、電源遮断部は、照度センサで検出された照度が所定値以下の時、電源の出力部から供給される電力の供給を遮断する。この結果、夜間などの屋内空間の非使用時には、自動的に電源をオフにして、省エネルギ化を図ることができる。
【考案の効果】
【００２９】
この考案によれば、屋内空間におけるＣＯ２濃度のレベルを表示することで、換気を適切に促すことができる効果がある。
【図面の簡単な説明】
【００３０】
【図１】換気状況表示装置を使用状態下にて示す説明図。
【図２】換気状況表示装置の斜視図。
【図３】換気状況表示装置の正面図。
【図４】制御回路ブロック図。
【図５】表示制御を示すフローチャート。
【図６】複数の換気状況表示装置の配設例を示す平面図。
【図７】換気状況表示装置の他の実施形態を示す説明図。
【図８】換気状況表示装置のさらに他の実施形態を示す正面図。
【図９】制御回路ブロック図。
【図１０】調光制御を示すフローチャート。
【考案を実施するための形態】
【実施形態１】
【００３１】
この考案の一実施形態を、以下図面とともに説明する。  
図面は換気状況表示装置を示し、図１は換気状況表示装置を使用状態下にて示す説明図、図２は換気状況表示装置の斜視図、図３は換気状況表示装置の正面図、図４は制御回路ブロック図、図５は表示制御を示すフローチャートである。なお、図１においては、支持部１４を概略的に図示している。
【００３２】
図１に示すように、可搬式の換気状況表示装置１０は、例えば、大学の教室等の屋内空間１の床面２上に立設配置される。  
図２、図３に示すように、換気状況表示装置１０は、台座としてのベースプレート１１と、下部支持筒１３と、支持部１４と、上部支持筒１８と、ＣＯ２センサ１９を内蔵したボックス２０と、ボックス２０の上部にスペーサ２１を介して取付けられた表示部２２とを備えている。
【００３３】
ベースプレート１１は、平面視略三角形状の本体プレート１１ａと、その頂部に，設けられた折り畳み可能な脚部１１ｂとで構成している。脚部１１ｂは、平面視三角形状の本体プレート１１ａの角部に対してヒンジ結合させ、内側に折り畳み可能に構成している。  
また、ベースプレート１１の本体プレート１１ａの底面側には、電源ケーブルの基端が接続された電源ボックス１２が設けられている。
【００３４】
下部支持筒１３は、筒部１３ａと、筒部１３ａの下端に一体形成されたフランジ部１３ｂとを備えており、フランジ部１３ｂがベースプレート１１における本体プレート１１ａの中央部上面に固定されている。
【００３５】
支持部１４は、その下端部が下部支持筒１３内に挿入固定された下側のアウタパイプ１５と、このアウタパイプ１５内にその下部が挿入された上側のインナパイプ１６と、インナパイプ１６の上下高さ位置を調整する少なくともひとつの高さ調節ネジ１７とを備えている。この実施形態では、アウタパイプ１５、インナパイプ１６はステンレス鋼などの金属パイプにより形成されている。また、この実施形態では、高さ調節ネジ１７を複数備えている。  
ここで、下側に位置するアウタパイプ１５が固定パイプとなり、上側に位置するインナパイプ１６が可動パイプとなる。
【００３６】
また、支持部１４は、ＣＯ２センサ１９の上下位置を、図１に示すように、机４に対して配置した椅子３に着座した人の頭部位置近傍に支持するもので、この実施形態では、支持部１４の下端からＣＯ２センサ１９の配設位置までの高さを１０００〜１２００ｍｍに設定している。これにより、換気状況表示装置１０を図１に示すように、床面２に立設して使用する場合、ＣＯ２センサ１９の高さ位置が、椅子３の座面３ａに着座した人の頭部位置近傍（詳しくは、鼻や口の位置）となるように構成している。
【００３７】
なお、換気状況表示装置１０を設置する接地面が、椅子３の接地面より低い場合には、換気状況表示装置１０を設置する接地面と椅子３の接地面との差を１０００〜１２００ｍｍに加えて高さ調整すればよい。
【００３８】
また、支持部１４が、アウタパイプ１５と、インナパイプ１６と、高さ調節ネジ１７とを備えることで、支持部１４を上下方向に伸縮可能に構成している。つまり、インナパイプ１６を上下動可能に構成することで、ボックス２０内のＣＯ２センサ１９の高さ位置を調整できるように構成している。これにより、屋内空間１を利用する人の身長や座高の差異に応じて、支持部１４を伸縮し、ＣＯ２センサ１９の配設位置を最適な高さ位置に上下調整するように構成している。
【００３９】
上部支持筒１８は、図３に示すように、筒部１８ａと、筒部１８ａの上端に一体形成されたフランジ部１８ｂとを備えており、筒部１８ａが支持部１４におけるインナパイプ１６の上端部に固定されるとともに、フランジ部１８ｂがボックス２０の底面部に固定されている。
【００４０】
ＣＯ２センサ１９は、ボックス２０内部に支持されており、このＣＯ２センサ１９は屋内空間１の空気中の二酸化炭素濃度（ＣＯ２濃度）を検出する。  
ボックス２０は、ＣＯ２センサ１９を囲繞し、ＣＯ２センサ１９を保護するもので、この実施形態では、上面部、底面部、左右の側面部、前面部、背面部を備えた直六面体で形成しているが、ボックス２０は上面部、底面部を有する円筒体で形成してもよい。
【００４１】
ボックス２０の少なくとも一部、詳しくは、左右の側面部、前面部、背面部の全面をメッシュ構造部２０ａで構成している。これにより、ＣＯ２センサ１９に対してボックス２０の左右の側面部、前面部、背面部の全面から屋内空間１の空気をボックス２０内に導入し、ＣＯ２濃度の検出をより一層確実によく行なうように構成している。  
また、ボックス２０内には、ＣＯ２センサ１９用の基板及びメイン基板（図示せず）と、これら各基板及びＣＯ２センサ１９を固定支持するブラケット（図示せず）が格納されている。
【００４２】
表示部２２は、ＣＯ２センサ１９が検出したＣＯ２濃度のレベルを表示するもので、この実施形態では、表示部２２は、赤色に表示する赤色表示部２３と、黄色に表示する黄色表示部２４と、青色に表示する青色表示部２５とを備えている。なお、青色表示部２５に代えて緑色に表示する青色表示部や青緑色表示部を採用してもよい。
【００４３】
図１〜図３に示すように、各表示部２３，２４，２５のうち赤色表示部２３を上段に配置し、黄色表示部２４を中段に配置し、青色表示部２５を下段に配置して、これら各表示部２３，２４，２５を上下方向に配列しているが、これらの各表示部２３，２４，２５は左右横方向に配列してもよい。  
赤色表示部２３は、白昼光に発光する発光ランプとしての第１ＬＥＤランプ３１と、この第１ＬＥＤランプ３１を囲繞する筒状かつ透光性の赤色カバー２６とを備えている。
【００４４】
黄色表示部２４は、白昼光に発光する発光ランプとしての第２ＬＥＤランプ３２と、この第２ＬＥＤランプ３２を囲繞する筒状かつ透光性の黄色カバー２７とを備えている。  
青色表示部２５は、白昼光に発光する発光ランプとしての第３ＬＥＤランプ３３と、この第３ＬＥＤランプ３３を囲繞する筒状かつ透光性の青色カバー２８とを備えている。なお、青色表示に代えて緑色表示を実行する場合には、青色カバー２８に代えて緑色カバーを用いるとよい。
【００４５】
図１〜図３に示すように、赤色、黄色、青色の各表示部２３，２４，２５を上下方向に配列した表示部２２の上端部、詳しくは、赤色表示部２３の上端部にはトップカバー２９を取付け、最上段に位置する赤色カバー２６内への塵芥等の異物の侵入を防止すべく構成している。
【００４６】
図４に示す制御回路ブロック図において、ＣＰＵ３０は、照度センサ３４及びＣＯ２センサ１９の出力に基づいて、ＲＯＭ３５に格納されたプログラムに従って、第１ＬＥＤランプ３１、第２ＬＥＤランプ３２、第３ＬＥＤランプ３３、電源遮断部３６を駆動制御し、また、ＲＡＭ３７は、照度の所定値に相当するデータ、ＣＯ２濃度の７００ｐｐｍ、８００ｐｐｍに相当するデータなどの必要なデータを記憶する。
【００４７】
照度センサ３４は、屋内空間１の照度を検出するセンサである。  
電源遮断部３６は、照度センサ３４で検出された屋内空間１の照度が所定値以下の時（例えば、夜間のように暗い時）、電源出力部３８からの電力供給を遮断するものである。
【００４８】
電源出力部３８は、ＣＯ２センサ１９、表示部２２及び制御手段としてのＣＰＵ３０を駆動する電源の出力部である。  
ＣＰＵ３０は、ＣＯ２センサ１９が検出したＣＯ２濃度のレベルに応じて、第１〜第３の各ＬＥＤランプ３１，３２，３３のいずれかひとつを発光させることで、赤色表示部２３、黄色表示部２４、青色表示部２５のいずれかひとつを発光表示する表示制御部を兼ねている。
【００４９】
また、ＣＰＵ３０は、ＣＯ２センサ１９の出力に基づいて、表示部２２の発行を制御する制御手段を兼ねている。具体的には、ＣＰＵ３０は、ＣＯ２濃度が１０００ｐｐｍ以上の場合には、表示部２２を赤色に表示制御する。また、ＣＰＵ３０は、ＣＯ２濃度が９００ｐｐｍ以上、１０００ｐｐｍ未満の場合には、表示部２２を赤色及び黄色に表示制御し、ＣＯ２濃度が８００ｐｐｍ以上、９００ｐｐｍ未満の場合には、表示部２２を黄色に表示制御する。
【００５０】
さらに、ＣＰＵ３０は、ＣＯ２濃度が７００ｐｐｍ以上、８００ｐｐｍ未満の場合には、表示部２２を黄色及び青色に表示制御し、ＣＯ２濃度が７００ｐｐｍ未満の場合には、表示部２２を青色に表示制御する。  
なお、ＣＰＵ３０、照度センサ３４、電源遮断部３６及び電源出力部３８は、ＣＯ２センサ１９とともにボックス２０に収容されている。
【００５１】
このように構成した換気状況表示装置１０の作用を、図５に示すフローチャートを参照して以下に説明する。  
図５に示すフローチャートに示すように、まず、ＣＰＵ３０は照度センサ３４、ＣＯ２センサ１９を作動させて、照度センサ３４が検出した屋内空間１の照度を読込むとともに、ＣＯ２センサ１９が検出した屋内空間１のＣＯ２濃度を読込む（ステップｓ１）。
【００５２】
ＣＰＵ３０はステップｓ１で読込んだ照度が所定値以下か否かを判定し、ＹＥＳ判定時（夜間などの屋内空間１の非使用時）には（ステップｓ２：ＹＥＳ）、ＣＰＵ３０は電源遮断部３６を作動させて、電源出力部３８からの電力供給を遮断、いわゆる電源をオフにして、一連の処理を終了する（ステップｓ３）。
【００５３】
ステップｓ２の判定結果がＮＯ判定時には（ステップｓ２：ＮＯ）、ＣＰＵ３０はＣＯ２センサ１９で検出したＣＯ２濃度のレベルを判定する（ステップｓ４）。ステップｓ４の判定結果としてＣＯ２濃度が１０００ｐｐｍ以上の場合には、ＣＰＵ３０はＣＯ２濃度が１０００ｐｐｍ以上であることに対応して、第１ＬＥＤランプ３１を発光し、赤色表示部２３を照光する（ステップｓ５）。
【００５４】
ステップｓ４の判定結果としてＣＯ２濃度が９００ｐｐｍ以上、１０００ｐｐｍ未満の場合には、ＣＰＵ３０はＣＯ２濃度が９００ｐｐｍ以上、１０００ｐｐｍ未満であることに対応して、第１ＬＥＤランプ３１及び第２ＬＥＤランプ３２を発光し、赤色表示部２３及び黄色表示部２４を照光する（ステップｓ６）。
【００５５】
ステップｓ４の判定結果としてＣＯ２濃度が８００ｐｐｍ以上、９００ｐｐｍ未満の場合には、ＣＰＵ３０はＣＯ２濃度が８００ｐｐｍ以上、９００ｐｐｍ未満であることに対応して、第２ＬＥＤランプ３２を発光し、黄色表示部２４を照光する（ステップｓ７）。
【００５６】
ステップｓ４の判定結果としてＣＯ２濃度が７００ｐｐｍ以上、８００ｐｐｍ未満の場合には、ＣＰＵ３０はＣＯ２濃度が７００ｐｐｍ以上、８００ｐｐｍ未満であることに対応して、第２ＬＥＤランプ３２及び第３ＬＥＤランプ３３を発光し、黄色表示部２４及び青色表示部２５を照光する（ステップｓ８）。
【００５７】
ステップｓ４の判定結果としてＣＯ２濃度が７００ｐｐｍ未満の場合には、ＣＰＵ３０は、ＣＯ２濃度が７００ｐｐｍ未満であることに対応して、第３ＬＥＤランプ３３を発光し、青色表示部２５を照光する。そして、ステップｓ５〜ｓ９での処理後、ステップｓ１にリターンし、終了までこれを、所定時間毎に繰り返す。
【００５８】
このように、表示制御部としてのＣＰＵ３０は、ＣＯ２センサ１９が検出したＣＯ２濃度のレベルに応じて、赤色表示部２３、黄色表示部２４、青色表示部２５の少なくともいずれかひとつを該当する色に可視表示するので、ＣＯ２濃度から間接的に、換気状況を認識させることができる。
【００５９】
以上詳述したように、図１〜図５で示した実施形態１の換気状況表示装置１０は、屋内空間１の空気中のＣＯ２濃度を検出するＣＯ２センサ１９と、ＣＯ２センサ１９が検出したＣＯ２濃度のレベルを表示する表示部２２と、ＣＯ２センサ１９を、椅子３に着座した人の頭部位置近傍に支持する支持部１４とを備えている。
【００６０】
そのため、支持部１４にてＣＯ２センサ１９の高さ位置を、椅子３に着座した人の頭部位置近傍（詳しくは、鼻や口の位置）に支持することができる。この結果、人体から排出されるＣＯ２をＣＯ２センサ１９により効率よく検出することができ、ＣＯ２濃度のレベルを表示する表示部２２の表示内容にて屋内空間１の換気を適切に促すことができる。
【００６１】
また、支持部１４の下端からＣＯ２センサ１９の配設位置までの高さＨ２を１０００〜１２００ｍｍに設定している。そのため、換気状況表示装置１０を床面２に立設して使用する場合、ＣＯ２センサ１９の高さ位置が、椅子３に着座した人の頭部位置近傍となる。
【００６２】
さらに、ＣＯ２センサ１９を囲繞するボックス２０を設け、ボックス２０の少なくとも一部をメッシュ構造部２０ａで構成しているため、ＣＯ２センサ１９に対してボックス２０の少なくとも一部から屋内空間１の空気を導入することができ、ＣＯ２濃度を感度よく検出することができる。
【００６３】
さらにまた、ＣＯ２センサ１９を囲繞するボックス２０を設け、ボックス２０の全面をメッシュ構造部２０ａで構成しているため、ＣＯ２センサ１９に対してボックス２０の全面から屋内空間１の空気を導入することができ、ＣＯ２濃度の検出をより一層感度よく行なうことができる。
【００６４】
加えて、支持部１４を上下方向に伸縮可能に構成している。そのため、屋内空間１を利用する人の身長や座高の差異に応じて、支持部１４を伸縮し、ＣＯ２センサ１９の配設位置を最適な高さ位置に上下調整することができる。
【００６５】
また、表示部２２は、赤色に表示する赤色表示部２３と、黄色に表示する黄色表示部２４と、青色に表示する青色表示部２５とを備え、ＣＯ２センサ１９が検出したＣＯ２濃度のレベルに応じて赤色表示部２３、黄色表示部２４、青色表示部２５の少なくともいずれかひとつを表示するＣＰＵ３０を備えている。
【００６６】
そのため、ＣＰＵ３０は、ＣＯ２センサ１９が検出したＣＯ２濃度のレベルに応じて、赤色表示部２３、黄色表示部２４、青色表示部２５の少なくともいずれかひとつを該当する色に可視表示するので、換気状況を認識させることができる。したがって、音出力で換気状況を表示する場合に比べて、静寂な講義中であっても、邪魔になることはない。
【００６７】
さらに、ＣＯ２センサ１９の出力に基づいて、ＣＯ２濃度が１０００ｐｐｍ以上の場合には表示部２２を赤色に、ＣＯ２濃度が９００ｐｐｍ以上、１０００ｐｐｍ未満の場合には表示部２２を赤色及び黄色に、ＣＯ２濃度が８００ｐｐｍ以上、９００ｐｐｍ未満の場合には表示部２２を黄色に、ＣＯ２濃度が７００ｐｐｍ以上、８００ｐｐｍ未満の場合には表示部２２を黄色及び青色に、ＣＯ２濃度が７００ｐｐｍ未満の場合には表示部２２を青色に発光するＣＰＵ３０を備えている。そのため、ＣＰＵ３０により表示部２２を上記ＣＯ２濃度に対応して、赤色、黄色、青色あるいはそれらを組み合わせて発光させることで、換気状況を的確に表示することができる。
【００６８】
また、ＣＰＵ３０は、ＣＯ２センサ１９の出力に基づいて、表示部２２の発行を制御する制御手段を兼ねている。具体的には、ＣＰＵ３０は、ＣＯ２濃度が１０００ｐｐｍ以上の場合には、表示部２２を赤色に表示制御する。  
また、ＣＰＵ３０は、ＣＯ２濃度が９００ｐｐｍ以上、１０００ｐｐｍ未満の場合には、表示部２２を赤色及び黄色に表示制御し、ＣＯ２濃度が８００ｐｐｍ以上、９００ｐｐｍ未満の場合には、表示部２２を黄色に表示制御する。
【００６９】
さらに、ＣＰＵ３０は、ＣＯ２濃度が７００ｐｐｍ以上、８００ｐｐｍ未満の場合には、表示部２２を黄色及び青色に表示制御し、ＣＯ２濃度が７００ｐｐｍ未満の場合には、表示部２２を青色に表示制御する。
【００７０】
さらにまた、ＣＯ２センサ１９、表示部２２及びＣＰＵ３０を駆動する電源を出力する電源出力部３８と、屋内空間の照度を検出する照度センサ３４とを備え、照度センサ３４で検出された照度が所定値以下の時、電源出力部３８からの電力供給を遮断する電源遮断部３６を備えている。
【００７１】
そのため、電源遮断部３６は、照度センサ３４で検出された照度が所定値以下の時、電源出力部３８から供給される電力の供給を遮断する。この結果、夜間などの屋内空間１の非使用時には、自動的に電源をオフにして、省エネルギ化を図ることができる。
【００７２】
このように構成され、上述のような作用・効果を奏する換気状況表示装置１０は、例えば、図６に示すように、複数の換気状況表示装置１０ａ〜１０ｅの配設することができる。  
前後の壁部ＷＡ１，ＷＡ２と、左右の壁部ＷＡ３，ＷＡ４と、で囲繞された大学の教室等の屋内空間１には複数の机４と椅子とが縦横に整列配置されている。また、左側の壁部ＷＡ３には、間隔を隔てて２つのドアＤ１，Ｄ２が設けられている。さらに、右側の壁部ＷＡ４には、間隔を隔てて４つの窓Ｗ１，Ｗ２，Ｗ３，Ｗ４が設けられている。
【００７３】
そして、屋内空間１内の複数の机４同士の間の通路おける中央部と、前方左側と、後方左側と、前方右側と、後方右側との床面２には実施形態１で示した換気状況表示装置１０（１０ａ，１０ｂ，１０ｃ，１０ｄ，１０ｅ）が複数立設配置されている。
【００７４】
一例として、ドアＤ１が開放され、ドアＤ２が閉じられ、窓Ｗ１，Ｗ２が閉じられ、窓Ｗ３，Ｗ４が開放された場合について説明する。  
この場合、外気Ａは、図６において仮想線矢印で示すように、開放された窓Ｗ３，Ｗ４側から、開放されたドアＤ１側に向けて流れる。換気状況表示装置１０ｂ，１０ａ，１０ｅについては、充分な換気（ＣＯ２濃度が７００ｐｐｍ未満）により青色表示部２５が表示される。
【００７５】
換気状況表示装置１０ｄについては、換気がやや不足傾向にあること（ＣＯ２濃度が７００ｐｐｍ以上、８００ｐｐｍ未満）により青色表示部２５及び黄色表示部２４が表示され、ＣＯ２濃度が８００ｐｐｍ以上、９００ｐｐｍ未満では黄色表示部２４が表示され、ＣＯ２濃度が９００ｐｐｍ以上、１０００ｐｐｍ未満では黄色表示部２４及び赤色表示部２３が表示され、換気状況表示装置１０ｃについては、換気不足（ＣＯ２濃度が１０００ｐｐｍ以上）により赤色表示部２３が表示される。
【００７６】
各換気状況表示装置１０ａ〜１０ｅの各表示部２２で表示された赤色、黄色、青色、あるいはこれらの組み合わせを目視により認識することで、屋内空間１を利用する人が、ドアＤ１，Ｄ２、窓Ｗ１〜Ｗ４の開閉度合（全開、全閉を含む）を調整することができる。
【実施形態２】
【００７７】
次に、第２実施形態の換気状況表示装置１０Ｘについて図７とともに説明する。  
図７は換気状況表示装置１０Ｘの説明図を示している。なお、図７において、前図と同一の部分には、同一符号を付して、その詳しい説明を省略する。
【００７８】
図１〜図３で示した実施形態１においては、換気状況表示装置１０を床面２に立設する所謂床置き式のものを例示したが、図７に示す換気状況表示装置１０Ｘは、椅子３に着座した人が使用する机４の上面４ａに立設して用いる卓上式に形成したものである。  
このため、換気状況表示装置１０Ｘは、図７に示すように、支持部１４の下端からＣＯ２センサ１９の配設位置までの高さＨ１を、３００〜５００ｍｍに設定している。  
【００７９】
これにより、机４に立設して卓上式として使用する換気状況表示装置１０Ｘは、ＣＯ２センサ１９の高さ位置が、椅子３に着座した人の頭部位置近傍（詳しくは、鼻や口の位置に対応する高さ位置）となり、人体から排出されるＣＯ２をＣＯ２センサ１９により、効率よく検出することができる。
【００８０】
そして、このＣＯ２センサ１９で検出されたＣＯ２濃度のレベルは表示部２２にて赤色、黄色、青色（または緑色）のいずれかあるいはこれらの組み合わせで可視表示される。  
上述の実施形態２の換気状況表示装置１０Ｘは、図１〜図５を参照して説明した先の実施形態１の換気状況表示装置１０の作用、効果と同様の作用、効果を奏することができる。
【実施形態３】
【００８１】
続いて、第３実施形態の換気状況表示装置１０Ｙについて図８乃至図１０とともに説明する。  
図８は換気状況表示装置１０Ｙの正面図を示し、図９は図８で示した換気状況表示装置１０Ｙの制御回路ブロック図を示し、図１０は調光制御を示すフローチャートを示している。なお、図８〜図１０において、前図と同一の部分には、同一符号を付して、その詳しい説明を省略する。
【００８２】
この実施形態３の換気状況表示装置１０Ｙは、図８に示すように、支持部１４の下端の下部支持筒１３におけるフランジ部１３ｂとベースプレート１１の上面との間に、ボックス形状の台座３９を設けている。  
図８に示すように、台座３９は上壁部３９ａと、下壁部３９ｂと、左右の側壁部３９ｃ，３９ｄと、前壁部（図示せず）と、後壁部３９ｅとを備え、これら各壁部３９ａ〜３９ｅで囲繞された内部空間３９ｆが形成されている。そして、ボックス形状の台座３９の内部空間３９ｆにはバッテリ４０が格納されている。
【００８３】
また、図８に示すように、ボックス２０上側のスペーサ２１と、トップカバー２９との間には、表示部４２が設けられている。  
この表示部４２は、発光ランプとしてのＬＥＤランプ４１と、このＬＥＤランプ４１を囲繞する透光性のカバー４３と、図９に示すＣＰＵ３０内の調光部４４とを備えている。
【００８４】
ＬＥＤランプ４１としては、単一のＬＥＤランプ４１にて赤色、黄色、青色（または緑色）の何れの発光色にも発光可能なマルチ・チップ構造の発光ランプを用いている。  
透光性のカバー４３は、無色透明、無色半透明または乳白色の樹脂製カバーにて形成される。
【００８５】
図９に示すＣＰＵ３０の内部に形成された調光部４４は、発光ランプとしてのＬＥＤランプ４１の発光色をＣＯ２センサ１９が検出したＣＯ２濃度のレベルに応じて、赤色、黄色、青色（または緑色）に調光する調光制御部である。
【００８６】
図９に示す制御回路ブロック図において、ＣＰＵ３０は、照度センサ３４及びＣＯ２センサ１９の出力に基づいて、ＲＯＭ３５に格納されたプログラムに従って、ＬＥＤランプ４１、電源遮断部３６を駆動制御し、また、ＲＡＭ３７は、照度の所定値に相当するデータ、ＣＯ２濃度の７００ｐｐｍ、８００ｐｐｍに相当するデータなどの必要なデータを記憶する。
【００８７】
ＣＰＵ３０は、ＣＯ２センサ１９の出力に基づいて、ＣＯ２濃度が１０００ｐｐｍ以上の場合にはＬＥＤランプ４１を赤色に発光し、ＣＯ２濃度が８００ｐｐｍ以上、１０００ｐｐｍ未満の場合にはＬＥＤランプ４１を黄色に発光し、ＣＯ２濃度が８００ｐｐｍ未満の場合にはＬＥＤランプ４１を青色（または緑色）に発光することで、ＣＯ２濃度に対応して表示部４２を赤色、黄色、青色（または緑色）に発光する制御手段を兼ねている。
【００８８】
このように構成した換気状況表示装置１０の作用を、図１０に示すフローチャートを参照して以下に説明する。  
先ず、ＣＰＵ３０は照度センサ３４、ＣＯ２センサ１９を作動させて、照度センサ３４が検出した屋内空間１の照度を読込むとともに、ＣＯ２センサ１９が検出した屋内空間１のＣＯ２濃度を読込む（ステップｔ１）。
【００８９】
ＣＰＵ３０はステップｔ１で読込んだ照度が所定値以下か否かを判定し、ＹＥＳ判定時（夜間などの屋内空間１の非使用時）には（ステップｔ２：ＹＥＳ）、ＣＰＵ３０は電源遮断部３６を作動させて、電源出力部３８からの電力供給を遮断、いわゆる電源をオフにして、一連の処理を終了する（ステップｔ３）。
【００９０】
ステップｔ２の判定結果がＮＯ判定時には（ステップｔ２：ＮＯ）、ＣＰＵ３０はＣＯ２センサ１９で検出したＣＯ２濃度のレベルを判定する（ステップｔ４）。  
ステップｔ４の判定結果としてＣＯ２濃度が１０００ｐｐｍ以上の場合には、ＣＰＵ３０の調光部４４は、ＣＯ２濃度が１０００ｐｐｍ以上であることに対応して、ＬＥＤランプ４１を赤色に発光し、表示部４２を赤色に照光する（ステップｔ５）。
【００９１】
ステップｔ４の判定結果としてＣＯ２濃度が８００ｐｐｍ以上、１０００ｐｐｍ未満の場合には、ＣＰＵ３０の調光部４４は、ＣＯ２濃度が８００ｐｐｍ以上、１０００ｐｐｍ未満であることに対応して、ＬＥＤランプ４１を黄色に発光し、表示部４２を黄色に照光する（ステップｔ６）。
【００９２】
ステップｔ４の判定結果としてＣＯ２濃度が８００ｐｐｍ未満の場合には、ＣＰＵ３０の調光部４４は、ＣＯ２濃度が８００ｐｐｍ未満であることに対応して、ＬＥＤランプ４１を青色（または緑色）に発光し、表示部４２を青色（または緑色）に照光する。これらの各ステップｔ５，ｔ６，ｔ７の処理後、ステップｔ１にリターンし、終了までこれを、所定時間毎に繰り返す。
【００９３】
このように、表示部４２は、ＬＥＤランプ４１と、ＬＥＤランプ４１の発光色をＣＯ２センサ１９が検出したＣＯ２濃度のレベルに応じて、赤色、黄色、及び青色のいずれかに調光する調光部４４とを備えているため、調光部４４は、ＣＯ２センサ１９が検出したＣＯ２濃度のレベルに応じて、ＬＥＤランプ４１の発光色を、赤色、黄色、及び青色のいずれかに調光して、換気状況を認識させることができる。
【００９４】
また、支持部１４の下端にボックス形状の台座３９を設け、台座３９の内部にはバッテリ４０が格納されることにより、ＡＣ電源が存在しない場合でも、バッテリ４０により換気状況表示装置１０に駆動電力を供給できるとともに、バッテリ４０の重量により装置全体の支持安定化を図ることができる。  
【００９５】
図８、図９、図１０で示した実施形態３の換気状況表示装置１０Ｙは、図１〜図５で示した先の実施形態１と同様の作用、効果を奏することができるとともに、赤色表示部２３、黄色表示部２４及び青色表示部２５を備えた換気状況表示装置１０，１０Ｘよりコンパクトに構成することができる。
【００９６】
この考案の構成と、上述の実施形態との対応において、この考案の屋内空間は、実施形態の屋内空間１に対応し、以下同様に、  
椅子は、椅子３に対応し、  
支持部は、支持部１４に対応し、  
ＣＯ２センサは、ＣＯ２センサ１９に対応し、  
ボックスは、ボックス２０に対応し、  
メッシュ構造は、メッシュ構造部２０ａに対応し、  
表示部は、表示部２２，４２に対応し、  
赤色表示部は、赤色表示部２３に対応し、  
黄色表示部は、黄色表示部２４に対応し、  
青色表示部は、青色表示部２５に対応し、  
表示制御部は、ＣＰＵ３０に対応し、  
制御手段は、ＣＰＵ３０に対応し、  
照度センサは、照度センサ３４に対応し、  
電源遮断部は、電源遮断部３６に対応し、  
電源の出力部は、電源出力部３８に対応し、  
台座は、台座３９に対応し、  
バッテリは、バッテリ４０に対応し、  
発光ランプは、ＬＥＤランプ４１に対応し、  
調光制御部は、調光部４４に対応するも、  
この考案は、上述の実施形態の構成のみに限定されるものではなく、多くの実施の形態を得ることができる。
【００９７】
例えば、実施形態１の白昼光に発光する第１ＬＥＤランプ３１と、赤色カバー２６とを備えた赤色表示部２３に代えて、乳白色の透光性カバーと赤色発光ダイオードとを備えた赤色表示部としてもよい。
【００９８】
また、実施形態１の白昼光に発光する第２ＬＥＤランプ３２と、黄色カバー２７とを備えた黄色表示部２４に代えて、乳白色の透光性カバーと、黄色発光ダイオードとを備えた黄色表示部としてもよい。
【００９９】
さらに、実施形態１の白昼光に発光する第３ＬＥＤランプ３３と、青色カバー２８とを備えた青色表示部２５に代えて、乳白色の透光性カバーと、緑色発光ダイオードまたは青色発光ダイオードとを備えた緑色表示部としてもよい。
【０１００】
また、各実施形態のカバー２６，２７，２８，４３、支持部１４は円筒状に形成したが、これらを角筒状に形成してもよい。さらに、各実施形態のボックス２０及びベースプレート１１は平面視で方形状に形成したが、これらを平面視で円形状に形成してもよい。
【０１０１】
加えて、表示部２２，４２において各色の表示をする場合は、連続表示であってもよく、または、点滅表示であってもよい。さらには、画面を設けて、文字や画像でＣＯ２濃度のレベルを表示してもよいし、音声出力にてＣＯ２濃度のレベルを表示してもよい。また、表示部２２，４２で発光される色も上記色合いに限らず、適宜の色で発光させてもよい。
【０１０２】
さらに、ＣＯ２センサ１９を囲繞するボックス２０を設け、ボックス２０の少なくとも一部をメッシュ構造部２０ａで構成しているため、ＣＯ２センサ１９に対してボックス２０の少なくとも一部から屋内空間１の空気を導入することができ、ＣＯ２濃度を感度よく検出することができる。  
また、上述の換気状況表示装置１０，１０Ｘ，１０Ｙは照度センサ３４を備えていたが、照度センサ３４を備えない構成であってもよい。
【符号の説明】
【０１０３】
１…屋内空間
３…椅子
１０…換気状況表示装置
１４…支持部
１９…ＣＯ２センサ
２０…ボックス
２０ａ…メッシュ構造部
２２…表示部
２３…赤色表示部
２４…黄色表示部
２５…青色表示部
３０…ＣＰＵ
３４…照度センサ
３６…電源遮断部
３８…電源出力部
３９…台座
４０…バッテリ
４１…ＬＥＤランプ
４２…表示部
４４…調光部
【図１】
0003230532.tif 000003
【図２】
0003230532.tif 000004
【図３】
0003230532.tif 000005
【図４】
0003230532.tif 000006
【図５】
0003230532.tif 000007
【図６】
0003230532.tif 000008
【図７】
0003230532.tif 000009
【図８】
0003230532.tif 000010
【図９】
0003230532.tif 000011
【図１０】
0003230532.tif 000012